(57)【要約】      （修正有）【課題】製品等の搬送、運送に使用される順立箱の内部に、部品、製品等の大きさに応じてスペースの異なる複数の仕切り区画を形成するための仕切り部材であって、収納する部品、製品等の大きさに応じて随時長尺素材から短尺寸法に切断するだけで、適宜広さ又は深さの仕切り区画を容易に組み立てることができる仕切り部材を提供する。【解決手段】方形の底板と底板の周縁に立設した側壁とからなる箱体に複数の仕切り区画が升目状に形成され、複数の仕切り区画は、前後左右方向の仕切り片が互いに交差することにより形成され、前後左右方向の仕切り片が互いに交差する部位に配設される仕切り部材であって、中心基部とこの外周に突設した複数組の対のレールとを備え、対のレールは、仕切り片を挟着可能に開設されてなる、仕切り部材である。【選択図】図１
0003135521.tif 000002
【実用新案登録請求の範囲】
【請求項１】
方形の底板と該底板の周縁に立設した側壁とからなる箱体に複数の仕切り区画が升目状に形成され、
該複数の仕切り区画は、前後左右方向の仕切り片が互いに交差することにより形成され、
該前後左右方向の仕切り片が互いに交差する部位に配設される仕切り部材であって、
中心基部とこの外周に突設した複数組の対のレールとを備え、
該対のレールは、前記仕切り片を挟着可能に開設されてなる、仕切り部材。
【請求項２】
前記複数組の対のレールは、前記中心基部から断面十字状に突設してなる請求項１記載の、仕切り部材 。
【請求項３】
前記複数組の対のレールは、前記中心基部から断面Ｔ字状に突設してなる請求項１記載の、仕切り部材 。
【請求項４】
対のレールの相対向する内面に爪を備えてなる請求項２又は３記載の、仕切り部材 。
【考案の詳細な説明】
【技術分野】
【０００１】
この考案は、工業製品、部品等を収納する順立箱内にスペースの異なる複数の仕切り区画を形成するための仕切り部材に関する。詳しくは、自動車組立て、電気電子、機械装置等の工業分野における物流工程において、大きさの異なる製品、部品等を入れて搬送、運送するための順立箱内にスペースの異なる複数の仕切り区画を升目状に形成するために使用する仕切り部材であって、その仕切り区画を自在にしかも堅個に形成することができる仕切り部材に関する。
【背景技術】
【０００２】
従来から、収納容器に各種製品、部品等を収納する際に、升目を形成した仕切り付き順立箱がある。この種の順立箱においては、両面に突部と溝とが所定間隔に成形された合成樹脂からなる仕切り板を、一定の長さの成型体として形成する。そして、上記仕切り板を、収納しようとする製品のサイズに適合する長さに切断し、この切断された仕切り板の端部を他の仕切り板における側面の溝に嵌合させて升目状に組み合わせる。こうして、升目状に組み合わせられた仕切り板を順立箱内に装着して区画する。しかしながら、このような順立箱は複数の仕切り区画を有するだけで、仕切り壁の堅固性あるいは安定性に欠け工業製品等の外観傷を嫌う部品に対する搬送時の品質保持の機能を有してはいない。
【０００３】
一方、製品等を収納して保管、輸送、運搬、陳列するために使用する仕切り付きの順立箱としては、段ボール、ポリプレン又はポリエチレン等の仕切り板が多用され、これらは柔らかく変形し易い。これらの順立箱は、底板に立設する側壁に収納する製品の高さと略同じ高さの側板を折り曲げ自在に形成し、一方の側板に天板を形成するとともに、底板、側板、天板の端縁に仕切り板を形成し、これを接着することにより箱状に組み立てて順立箱としていた。しかし、このような段ボール製の順立箱は、仕切り板を接着して組み立てるので、そのままでは反復使用することはできない。
【０００４】
ところで、以上のような仕切り付き収納容器の問題を解決するために数々の工夫がなされ、その中で次のような仕切り部材に関する考案が提案されている。この仕切り部材は、プラスチック製の平らな板材で形成された背板と、その両側部および底部に突出した状態で形成される側板および底板とから構成されている。なお、側板の上縁は水平でも傾斜状でもよい。そして、底板の中央部には、前方に向けて底部レールを突出した状態で形成している。また、背板には、その中央線に沿って、前記底部レールが係合する係合孔を底部およびその上方に適宜間隔で形成している。したがって、この仕切り部材は、これを水平に組み合わせることにより、机の引出しやロッカーの仕切り部材として利用することができ、さらに、この仕切り 部材ユニットを段違い状に組み合わせることにより、背板が所定の角度で傾斜された収納容器部材として構成されることの他、収納棚装置の棚のユニットとして利用することが可能になる（特許文献１参照）。
【０００５】
この様な順立箱の仕切り部材として、従来段ボール製のものが知られているが、コスト、防潤性、堅個性の上から一長一短がある。最近では、プラスチック製が多用されるようになり、石油等の地球資源の枯渇問題が深刻化する中、リサイクル性に優れる廃棄プラスチック材料の有効利用が叫ばれるようになった。
【０００６】
【特許文献１】実開平６−１６４号公報
【考案の開示】
【考案が解決しようとする課題】
【０００７】
以上の通りであって、特許文献１に代表されるように、従来の仕切り部材には、まとめると、次のような問題点がある。
【０００８】
即ち、従来の仕切り部材の問題点の第一は、順立箱内に複数の仕切りを設けるだけで、仕切り部材の堅固性あるいは安定性に欠け工業製品の外観部品等の傷を嫌う部品に対する搬送時の品質保持の機能を有してはいない。
【０００９】
第二に、仕切り板を接着して組み立てるので、そのままでは反復使用することができないだけでなく、リサイクルによる再使用ができない。
【００１０】
そこで、本考案の仕切り部材は、このような従来の抱える問題点を解決するためになされたもので、製品等の搬送、運送に使用される順立箱の内部に、部品、製品等の大きさに応じてスペースの異なる複数の仕切り区画を形成するための仕切り部材であって、収納する部品、製品等の大きさに応じて随時長尺素材から短尺寸法に切断するだけで、適宜広さ又は深さの仕切り区画を容易に組み立てることができる仕切り部材を提供することを目的としている。
【課題を解決するための手段】
【００１１】
長尺の素材を得るという着想に基づき、押し出し成形により仕切り部材を試作したところ、強度的にもコスト的にも優れたものが得られ、しかも仕切り板を堅個に保持することができるという知見を得た。本考案の仕切り部材はかかる知見を基に具現化したもので、請求項１の考案は、方形の底板と該底板の周縁に立設した側壁とからなる箱体に複数の仕切り区画が升目状に形成され、該複数の仕切り区画は、前後左右方向の仕切り片が互いに交差することにより形成され、該前後左右方向の仕切り片が互いに交差する部位に配設される仕切り部材であって、中心基部とこの外周に突設した複数組の対のレールとを備え、該対のレールは、前記仕切り片を挟着可能に開設してなる、仕切り部材である。また、請求項２又は３の考案は、請求項１の考案の上記特徴に加えて、前記複数組の対のレールは、前記中心基部から断面十字状に突設し、あるいは、前記中心基部から断面Ｔ字状に突設してなる仕切り部材である 。請求項４の考案は、請求項２又は３の考案の上記特徴に加えて、対のレールの相対向する内面に爪を備えてなる仕切り部材である。
【考案の効果】
【００１２】
本考案の仕切り部材によれば、複雑な断面形状でありながら長尺素材が容易に得られ易く、収納する製品等の大きさに応じて随時短尺に切断するだけで、適宜広さ又は深さの仕切り区画を容易に組み立てることができる。また、プラスチック材を採用した場合、耐久性があって反復使用が可能であり、かつ、安価でリサイクルも可能である。そして、廃棄プラスチック材を使用することもできるので、石油資源の枯渇に対して貢献する等の効果を奏する。
【考案を実施するための最良の形態】
【００１３】
本考案の実施の形態を、添付図面に示した本考案の実施例に基づいて以下に具体的に説明する。
【実施例】
【００１４】
先ず、本考案の実施例について、図１〜図５を参照しながら説明する。図１は、本考案に係る収納容器の平面図を示す。図２は、同上、断面十字状に対のレールが突起した仕切り部材を示す断面図である。図３は、同上、仕切り部材の長尺素材を示す斜視図である。図４は、同上、断面十字状で対のレールの内面に爪を備えた仕切り部材を示す断面図である。図５は、同上、断面Ｔ字状に対のレールが突起した仕切り部材を示す断面図である。
【００１５】
本実施例に係る収納容器１は、自動車、機械装置、電気電子等の工業分野における物流工程において、各種製品、部品等を搬送、運送するために使用される順立箱である。この収納容器１の平面図として図１に示すように、収納容器１は方形の底板２と、この底板２の周縁に立設された四方の側壁３、３、３及び３とからなる箱体である。そして、これらの側壁の内面に対し、垂直に配設された一方の仕切り片と、これと直角方向に配設された他方の仕切り片とが交差するようにして複数の仕切り区画が升目状に形成される。そして、仕切り片が交差する複数の部位に夫々仕切部材が配設されるとともに、方形の底板２の上に立設される。ここでは、便宜上図１に形状の異なる二種類の仕切り部材１０及び３０を配設し、十字状の仕切り部材１０は前後方向の仕切り片と左右方向の仕切り片とが十字に交差する部位に配設される。一方のＴ字状の仕切り部材３０は前後方向の仕切り片と左右方向の仕切り片とがＴ字に交差する部位に配設される。ここで、図１の平面図における上下方向を前後方向と称し、これと直交する方向を左右方向と称する。
【００１６】
前後左右方向の仕切り片の配設について述べると、一方の仕切り片４１、４２、４３、４４は前後の側壁３、３に対して垂直に収納容器１の前後方向に配設され、また、他方の仕切り片５１、５２、５３、５４は左右の側壁３、３に対して垂直に左右方向に配設されている。即ち、仕切り片４１と仕切り片４２同士は互いに前後左右方向に交差する。
【００１７】
図１に示すように前後方向の仕切り片と左右方向の仕切り片同士が交差する部位に十字状の仕切り部材１０を配設し、この仕切り部材１０に支持されるようにして前後方向の仕切り片と左右方向の仕切り片が底板２の上に立設される。収納容器１の左寄りにおいて、前後方向に十字状の仕切り部材１０、１０、１０が断続する仕切り片４１の同一直線上に配設され、かつ、これらの仕切り片４１、４１、４１、４１は、各仕切り部材１０の位置で夫々不連続に切れて夫々仕切り部材１０に支持される。一方、収納容器１の前方寄りに、左方の十字状の仕切り部材１０と右方のＴ字状の仕切り部材３０が左右方向の仕切り片５１の同一直線上に配設され、かつ、これらの仕切り片５１、５１、５１は、各仕切り部材１０の位置で夫々不連続に切れて夫々仕切り部材１０又は仕切り部材３０に支持される。同様に、収納容器１の中央右寄りに、前後方向の仕切り片４２の同一直線上に、Ｔ字状の仕切り部材３０、３０が配設され、かつ、これらの仕切り片４２、４２、４２は、各仕切り部材３０の位置で夫々不連続に切れて夫々仕切り部材３０支持される。また、収納容器１の右下方において、Ｔ字状の仕切り部材３０が配設され、かつ、Ｔ字状に左右方向の仕切り片５３、５３とこれらに直角に前後方向の仕切り片４４が仕切り部材３０に支持される。このようにして、前後左右方向の仕切り片によって囲まれた、大小様々の仕切り区画が升目状に形成される。図１に示した様に、左方寄りに同じ大きさの仕切り区画６１、６２、６３、６４が前後方向に形成される。同様に、これらの右方において前後方向に、前方寄りの大きい仕切り区画６５及び後方により小さい仕切り区画６６、６７、６８が形成される。また、これらの右方において前後方向に、小さい仕切り区画６９、最大の仕切り区画７０及び小さい仕切り区画７１とこの右方に仕切り区画７２が夫々形成される。なお、ここでは仕切り区画の広さ又は深さを変えることで説明したが、同じ広さ又は深さの仕切り区画を形成するために本考案の仕切り部材を使用することでもよい。
【００１８】
図２に、十字状の仕切り部材１０の断面を示す。図示のように、仕切り部材１０は中央の中心基部及びこの外周に突設した複数組の対のレールから構成され、中心基部１１から断面十字状に対のレール１２、１２が夫々突出して設けられる。そして、一対のレール１２、１２の間に溝１３が開設され、この溝１３に前後左右方向の仕切り片が挟着される。この溝１３の幅寸法は、仕切板の厚みと同等あるいは僅かに大きいもので、後述する他の仕切り部材２０、３０についても同様である。このように、仕切り部材１０には中心基部１１の軸方向に沿って４対のレールが形設される。後述する仕切り部材２０、３０についても同様に、中心基部の外周面における軸方向に複数対のレールが形設される。この仕切り部材１０におけるレール１２、１２の相対向する内面は平坦を基本とするが、夫々微細な凸凹を有する縞模様を形成することでもよい。
【００１９】
次に、Ｔ字状の仕切り部材３０の断面を図５に示す。図示のように、図示のように、仕切り部材３０は中央の中心基部及びこの外周に突設した複数組の対のレールから構成され、中心基部３１から断面十字状に対のレール３２、３２が夫々突出して設けられる。そして、一対のレール３２、３２の間に溝３３が開設され、この溝３３に前後左右方向の仕切り片が挟着される。このように、仕切り部材３０には中心基部３１の軸方向に沿って３対のレールが形設される。前述した十字状の仕切り部材１０と異なり、この仕切り部材３０では中央の中心基部３１から三方に対のレール３２、３２が突出する。
【００２０】
次に、他の十字状の仕切り部材２０を図４に示す。前述の仕切り部材１０と異なる構成は、レール２２、２２の相対向する内面の先端に、夫々鈎状の爪２４、２４を備えることにある。これらの爪２４のように突出する形状の代わりに、相対向するレールの内面に夫々微細な凸凹を有する縞模様を形成することでもよい。Ｔ字状の仕切り部材３０についても同様に、レールの相対向する内面の先端に夫々鈎状の爪を備え、あるいは相対向するレールの内面に夫々微細な凸凹を有する縞模様を形成することでもよい。
【００２１】
仕切り部材１０、２０及び３０は、押し出し成形により製作され、材質としては、プラスチック材の他、鉄、鋼、ステンレス鋼、アルミ合金及び真鍮等の金属材がある。仕切り部材１０の素材は、図３に示すように長尺素材１００であって、押し出し成形によって１メートル以上の長尺物が得られるので生産性が高い。仕切り部材の材質としてプラスチック材を採用する場合、射出成形又は押し出し成形により製作され、ポリプロピレン、ポリエチレン、ＡＢＳ等のバージン材を使用する他、同様な材質の廃棄プラスチック材をリサイクルして使用することができる。更に、仕切り部材の強度補強のため、無機物の充填材として例えば滑石を微粉砕したタルク、硫酸カルシュム石膏、酸化チタン等をバージン材に混入する。このような材料を使用して、断面が複雑形状の長尺素材を得ることができる。なお、仕切り部材２０、３０についても同様に長尺素材を得ることができる。
【００２２】
以上のように仕切り部材は構成され、次に作用について説明する。図１に示すように、仕切り部材１０は前後左右方向の仕切り片が交差する部位において底板２に対して垂直に配設され、かつ、交差する部位で前後左右方向の仕切り片同士が不連続に切れる。例えば、左方の前後方向の仕切り片は、仕切り部材１０を挟んで前後方向に短尺の仕切り片４１、４１、４１、４１に分断される。一方、前方の左右方向の仕切り片は５１、５１、５１に分断される。また、左方前方の仕切り部材１０の四方において、前後方向の仕切り片４１、４１は夫々一対のレール１２、１２の溝１３に沿って案内されるように挟着される。一方、左右方向の仕切り片５１、５１は夫々一対のレール１２、１２の溝１３に沿って案内されるように挟着される。仕切り片４１又は５１は、これらの厚みと同等寸法の溝１３に挟着され、仕切り部材１０の四方に夫々仕切り区画が形成される。Ｔ字状の仕切り部材３０について、例えば、右後方の前後方向の仕切り片は、仕切り部材３０の部位において前後方向に短尺の仕切り片４４、一方、左右方向の仕切り片は５３、５３に分断される。同様に、前後方向の仕切り片４４、左右方向の仕切り片５３、５３は夫々レール３２、３２の溝３３に沿って案内されるように挟着される。仕切り片４４又は５３は、これらの厚みと同等寸法の溝３３に挟着され、仕切り部材３０の三方に夫々仕切り区画が形成される。ここで、収納される製品が大きい場合、仕切り部材を間引きして升目のスペースを拡げることができるので、製品の大きさに自在に対応できる。図１に示すように、仕切り区画の大きい順に右方の仕切り区画７０、前方の仕切り区画６５、次いで左方の仕切り区画６１、６２、６３、６４、最も小さい仕切り区画７１が形成される。あるいは、収納容器１の深さ寸法に応じて、長尺素材１００から軸方向寸法の長い仕切り部材１０、３０を切り出し、深い仕切り片を選択することによって、深い仕切り区画を形成することができる。仕切り部材２０を使用する場合も同様である。
【００２３】
仕切り部材２０についても仕切り部材１０と同様に、前後左右方向の仕切り板が交差する部位において、底板２に対して夫々垂直に配設される。仕切り部材２０は、レール２２、２２の相対向する内面の先端に夫々爪２４、２４を備えるので、溝２３に挿入された仕切り片は両方の爪２４、２４により強く挟着される。従って、前後左右方向の仕切り片は爪２４、２４により押圧されて摩擦力を生じるので、これらの仕切り片が確実に保持され、運搬移動中に仕切り片がずれ又は飛び出しを防ぐことができる。
【００２４】
一方、仕切り部材２０のレール２２、２２の相対向する内面に夫々微細な凸凹を有する縞模様を形成する場合でも、同様に、仕切り片とレールとの間に摩擦力が生じて仕切り片が確実に保持される。他の仕切り部材３０についても同様に、摩擦力が生じて仕切り片が確実に保持される。
【００２５】
本考案の仕切り部材は長尺素材から必要に応じて短尺寸法に切断して使用できるので製造コストを低減できる。順立箱の深さに応じて長尺素材から短尺寸法の仕切り部材を切り出して使用することもできるので使い勝手がよい。しかも、廃棄プラスチック材を本考案の長尺素材の材料として有効利用できる。プラスチック材の生成には原油と大規模の施設が必要であり、原油は無限ではない。作っては廃棄、作っては廃棄しているといずれは枯渇してしまう。そこで、一度は廃棄された工業使用製品又は市販の廃棄プラスチック材を回収して再生した廃棄プラスチック材を仕切り部材の材料として再利用することを本考案では試みた。ところで、プラスチック材を再利用するために、駅や店舗のゴミ箱でも分類して捨てることになっているが、分類と回収が上手くできないのが実情であり、最近ではもっぱら人件費の安い国へ輸出して人手によって分類と回収を行なう。分類された廃棄プラスチック材は溶かして粒状のペレットに加工され、次いでペレットから種々形状の仕切り部材を生み出す。必要に応じて強度補強のため、無機物の充填材例えば滑石を微粉砕したタルク、硫酸カルシュム石膏等をプラスチック材に混入する。廃棄プラスチック材の種類としては、身の回りでは、飲料のペットボトルに使われているポリエチレンテレフタレートの他、音楽ＣＤとして使われるポリカーボネイト、レジ袋やお菓子の袋のポリプロピレン、ポリエチレン、ＡＢＳ等多様であり、安価に入手できる。
【産業上の利用可能性】
【００２６】
なお、本考案の仕切り部材の使途は、自動車、電気電子、機械装置等工業分野における物流工程における収納容器の順立箱に限るものではない。例えば、机の引き出しの仕切り、店頭における陳列ケースの仕切り、生鮮野菜や果物、鮮魚類を収納して運搬するために使用する段ボール箱の仕切り等の用途に拡げても勿論よい。
【図面の簡単な説明】
【００２７】
【図１】本考案に係る収納容器の平面図を示す。
【図２】同上、断面十字状に対のレールが突起した仕切り部材を示す断面図である。
【図３】同上、仕切り部材の長尺素材を示す斜視図である。
【図４】同上、断面十字状で対のレールの内面に爪を備えた仕切り部材を示す断面図である。
【図５】同上、断面Ｔ字状に対のレールが突起した仕切り部材を示す断面図である。
【符号の説明】
【００２８】
１  収納容器
２  底板
３  側壁
４１、４２、４３、４４  仕切り片
５１、５２、５３、５４  仕切り片
１０、２０、３０  仕切り部材
１１、２１、３１  中心基部
１２、２２、３２  レール
１３、２３、３３  溝
２４  爪
６１、６２、６３、６４、６５、６６、６７、６８、６９、７０、７１、７２  仕切り区画
１００  長尺素材
【図１】
0003135521.tif 000003
【図２】
0003135521.tif 000004
【図３】
0003135521.tif 000005
【図４】
0003135521.tif 000006
【図５】
0003135521.tif 000007